(57)【要約】【課題】  本発明は22.9ｋVの配電線路に設置されている柱上変圧器で低圧線路に連続的に電源を供給して無停電状態で柱上変圧器を取り替える低圧無停電の位相変換バイパス装置において、柱上変圧器を取り替えるために３相変圧器中２台の変圧器の電源を用い、２相入力を受けて３相４線の電源を発生させ低圧線路に３相電源を供給することによって無停電状態で柱上変圧器を取替えることが可能な、高・低圧位相変換の無停電バイパス装置に関するものである。【解決手段】  本発明は低圧無停電のバイパス装置に使用されている位相変換器５０を３相変圧器５１を使って巻数比１：１で一次側をY結線、二次側をΔ結線とする一方、％インピーダンス値を非常に小さくして（３％未満）位相変換器５０の内部電圧の降下現象を減らし、従来の変圧器と異なるように一次端子（ブッシング）のみを連結することができる３相４線（A,C,B,N）の連結構造を取り揃えることによって成されるものであって、大きさと重量を減らす傍ら電圧降下現象と力率が落ちる問題を解決するものである。【選択図】  図４
2004229494.tif 000002
【特許請求の範囲】
【請求項１】
高・低圧無停電のバイパス装置であって、
３相変圧器を用い、巻数比１：１で一次側をY結線、二次側をΔ結線として位相変換器を構成し、
前記位相変換器の入力線路に直列のリアクターを設け、
前記線路に自動力率調整装置を設け、
特高圧線路の変圧器の一次バイパスケーブルを特高圧遮断器を用いて単相変圧器に連結し、前記単相変圧器で電圧降下された電源は自動検相の投入遮断器を経て低圧線路に連結される一次バイパス装置を設けて構成されたことを特徴とする高・低圧位相変換の無停電バイパス装置。
【請求項２】
請求項１において、前記低圧線路に変圧器の一次バイパス装置を設けるが、前記変圧器の一次バイパス装置は単相変圧器を変圧器の一次バイパスケーブルに連結する傍ら自動検相の投入遮断器を通じて低圧線路に連結させていることを特徴とする高低圧位相変換の無停電バイパス装置。
【請求項３】
請求項１において、前記自動力率調整装置は位相変換器の使用時に力率を補償する３相力率補償コンデンサーと、単相変圧器の使用時に力率を補償する単相力率補償コンデンサーとで構成されていることを特徴とする高低圧位相変換の無停電バイパス装置。
【発明の詳細な説明】
【技術分野】
【０００１】
本発明は22.9ｋVの配電線路に設置されている柱上変圧器で低圧線路に連続的に電源を供給して無停電状態で柱上変圧器を取り替える低圧無停電の位相変換バイパス装置において、柱上変圧器を取り替えるために３相変圧器中２台の変圧器の電源を用い、２相入力を受けて３相４線の電源を発生させ低圧線路に３相電源を供給することによって無停電状態で柱上変圧器を取替えることが可能な、高・低圧位相変換の無停電バイパス装置に関するものである。
【背景技術】
【０００２】
従来の３個の単相変圧器で構成されている柱上変圧器を無停電状態で取り替えるためには特高圧を低圧に変換するための単相変圧器の３台又は３相変圧器の１台が設置された無停電車両を用いて柱上変圧器の一次側の特高圧線路を無停電車両に設置された変圧器の一次側に繋ぎ、無停電車両に設置された変圧器の二次側には低圧線路を繋ぐことによって、無停電状態で柱上変圧器を取り替えている。しかし、上記の無停電変圧器の取り替え方式は特高圧を直接無停電車両に繋いで解体しなければならないので、特高圧の活線工と活線車両とが必要であり、柱上変圧器の取替えに時間が長くかかるし、特高圧を用いるため相当な危険が伴うのであった。
【０００３】
このような問題点を解決するために本発明者は特高圧線路を用いないで柱上変圧器の二次側の低圧線路のみをバイパスさせて無停電状態で柱上変圧器を取り替えるようにして特高圧を作業する不便さを解消させる低圧無停電の位相変換バイパス装置を、大韓民国特許１０−２００１−００４６０８８号として出願したことがある。
【０００４】
上記の先出願の発明は図１に示したように特高圧線路の分岐鎖１にCOS２を通じて繋がっている柱上変圧器３−５の出力中、変圧器の二次バイパスケーブル２１を通じ、低圧２相電源を低圧位相変換の無停電車２０に搭載された位相変換器で３相に変換させて低圧線路のバイパスケーブル２２を通じ低圧線路に供給することによって、柱上変圧器３−５を順次に取り替えることができるようにしている。
【０００５】
以上のように低圧線路をバイパスさせて柱上変圧器３−５を取り替える方式は、簡便な取替えと取替えの時間を短くし、低圧位相変換の無停電車２０を小型化することができるという利点がある。
【０００６】
上記の先出願の低圧位相変換の無停電車２０には、図２に示したように単相変圧器３１の５台を使った位相変換器３０が使われているし、前記位相変換器３０は単相２台と３相変圧器を組み合わせて逆V結線をし、これを再びΔ―Y結線したものを使えるものであって、変圧器の二次自動検相のバイパスケーブル２１と位相変換器３０との間には変圧器の二次自動検相のバイパス遮断器２５を設置し、低圧線路のバイパスケーブル２２には低圧線路の自動検相のバイパス遮断器２６を設置する。
【０００７】
即ち、柱上変圧器３−５中、取り替えようとする変圧器の電源を残りの２台の柱上変圧器から供給を受け、位相変換器３０で取り替えようとする変圧器の電源を仮想に作って供給することで、柱上変圧器３−５の取替えが可能になるようにし、変圧器の二次自動検相のバイパス遮断器２５では変圧器の二次バイパスケーブル２１を低圧線路に繋ぎ、柱上変圧器３−５の３台中、取り替えようとする柱上変圧器を選んで自動に位相変換器３０で供給電源を変えて供給するので、変圧器の二次バイパスケーブル２１を再結線することなく、取り替えようとする変圧器の二次電源をバイパスさせることになり、低圧線路の自動検相のバイパス遮断器２６は変圧器の二次バイパスケーブルで印加された電源と、低圧線路のバイパスケーブル２２に印加された電源とを、各相別に検相して各相が互いに一致した場合にのみ電源が投入されるようにし、各相が互いに不一致した時は電源が投入されてショット現象が発生することを防止する。
【０００８】
このような位相変換器３０は単相変圧器３１の５台を用いて構成されるので、位相変換器３０の大きさが大きくなったり、重量が重くなったり、特に電圧降下現象が生じ、力率が落ちる等の問題があった。
【発明の開示】
【発明が解決しようとする課題】
【０００９】
本発明は、上記した従来の問題点を解決するために発明されたものであって、低圧無停電のバイパス装置に使われている位相変換器を３相変圧器を使って 巻数比１：１で一次側をY結線、二次側をΔ結線とする一方、％インピーダンス値を非常に小さくして（３％未満）位相変換器の内部電圧の降下現象を減らし、従来の変圧器と異なるように一次端子（ブッシング）のみを連結することができる、３相４線（A,C,B,N）の連結構造を取り揃えるようにしたものである。
【００１０】
また、本発明は変圧器の二次バイパスケーブルを通じて２相の低圧を受け位相を変換して取り替えようとする変圧器上に低圧を供給することによって、変圧器の一次特高圧のバイパスケーブルを連結しないで、変圧器の二次ケーブルを繋ぐ動作だけで柱上変圧器を取り替える傍ら電圧降下現象が生じないようにしたものである。
【課題を解決するための手段】
【００１１】
本発明は低圧無停電のバイパス装置で柱上変圧器の２相の電源を用いて３相の電源に変換させて低圧線路に供給し、高・低圧無停電のバイパス無停電車に搭載される位相変換器に関するものであって、位相変換器で３相の電源を低圧線路に供給して無停電状態で柱上変圧器の取替えが可能になるようにしたものである。
【００１２】
すなわち、第１の発明は、高・低圧無停電のバイパス装置であって、３相変圧器を用い、巻数比１：１で一次側をY結線、二次側をΔ結線として位相変換器を構成し、前記位相変換器の入力線路に直列のリアクターを設け、前記線路に自動力率調整装置を設け、特高圧線路の変圧器の一次バイパスケーブルを特高圧遮断器を用いて単相変圧器に連結し、前記単相変圧器で電圧降下された電源は自動検相の投入遮断器を経て低圧線路に連結される一次バイパス装置を設けて構成されたことを特徴とする高・低圧位相変換の無停電バイパス装置である。
【００１３】
第２の発明は第１の発明において、前記低圧線路に変圧器の一次バイパス装置を設けるが、前記変圧器の一次バイパス装置は単相変圧器を変圧器の一次バイパスケーブルに連結する傍ら自動検相の投入遮断器を通じて低圧線路に連結させていることを特徴とする高低圧位相変換の無停電バイパス装置である。
【００１４】
第３の発明は第１の発明において、前記自動力率調整装置は位相変換器の使用時に力率を補償する３相力率補償コンデンサーと、単相変圧器の使用時に力率を補償する単相力率補償コンデンサーとで構成されていることを特徴とする高低圧位相変換の無停電バイパス装置である。
【発明の効果】
【００１５】
本発明は３相変圧器を使って位相変換器を構成し、大きさと重量を減らす傍ら性能をも向上させるものであって、直列のリアクターを使って位相変換器に電源の供給時に生ずる突入電流を制限し、２相の電源を用い仮想の電源を作って供給する場合に生ずる相別の電圧降下と線間の電圧降下現象を自動力率調整装置によって補償してやるものである。
【００１６】
また、本発明は位相変換器と共に単相変圧器を設置して取り替えようとする柱上変圧器の一次の電源を前記単相変圧器で電圧降下させた二次の電源を低圧線路に供給することができるようにすることによって、二次のバイパスケーブルを再結線することなく、取り替えようとする柱上変圧器の一次ケーブルの取替えだけで柱上変圧器を取り替えることができるものである。
【発明を実施するための最良の形態】
【００１７】
図４に示す位相変換器５０は図３に示したように、高・低圧無停電のバイパス無停電車４０に搭載されるし、前記位相変換器５０には変圧器の二次バイパスケーブル２１が結合される傍ら低圧線路のバイパスケーブル２２が一次端子に結合される。また図４に示すように前記位相変換器５０と変圧器の二次バイパスケーブル２１との間には変圧器の二次自動検相のバイパス遮断器２５が設置されるし、低圧線路と低圧線路のバイパスケーブル２２との間にも自動検相のバイパス遮断器２６が設置されるものであって、前記位相変換器５０は３相変圧器５１を用いて巻数比１：１で一次側はY結線、二次側はΔ結線とするが、％インピーダンス値を非常に小さくして（３％未満）構成される。
【００１８】
上記の位相変換器５０は、従来の変圧器に比べ％インピーダンス値が小さく短絡比が大きいので、位相変換器５０に電源を供給する時、突入電流を制限するために直列のリアクター５２を使い、また位相変換器５０で２相の電源を用い仮想的に電源を作って供給するので、相別の電圧降下及び線間の電圧降下現象を補償するための自動力率調整装置５３が連結される。
【００１９】
特に本発明の位相変換器５０は３相変圧器５１を用いて製作するが、巻数比１：１で一次側はY結線、二次側はΔ結線として製作するので大きさと重量が小さく、また自動力率調整装置５３が設けられているので電圧降下現象を無くすことができる。
【００２０】
なお、本発明は１３２００/２３０Vの単相変圧器６０を高・低圧無停電のバイパス無停電車４０に前記位相変換器５０と共に設置されるが、前記単相変圧器６０は特高圧線路の変圧器の一次バイパスケーブル６１を特高圧の遮断器６２を使って連結し、単相変圧器６０から電圧降下された電源は自動検相の投入遮断器６３を経て低圧線路に連結されるようにする。
【００２１】
このような本発明は低圧線路をバイパスさせて無停電工法で柱上変圧器３−５を取替えさせるが、低圧の２相の電源を用いて３相の電源に変換させる位相変換器５０に関するものであって、従来には単相変圧器３１の５台を用いて巻数比１：１で一次側はY結線、二次側はΔ結線として位相を変換していた構造を、３相変圧器５１を用いて位相変換が可能になるようにしたことによって、位相変換器５０の重量と大きさ及び電圧降下現象を抑える等の性能を改善させるものである。
【００２２】
即ち、３相変圧器５１の巻数比を１：１とし、一次側はY結線、二次側はΔ結線として位相変換器５０を製作するものであって、前記位相変換器５０と変圧器の二次バイパスケーブル２１の間には変圧器の２次自動検相のバイパス遮断器２５を設置するが、直列のリアクター５２を繋ぎ電源を投入する時に位相変換器５０の突入電流を防止することになる。
【００２３】
また、位相変換器５０で取り替えようとする柱上変圧器３−５の電源を仮想的に作って供給する時、相別の電圧降下現象と負荷の不均一現象による線間の電圧降下現象が生ずることを、変圧器の二次バイパスケーブル２１に３相の力率調整コンデンサー５４と単相の力率調整コンデンサー５５とで構成される自動力率調整装置５３を連結して調整する傍ら、線路の負荷の力率を改善し変圧器の利用率を高めるようにする。
【００２４】
一方、本発明では従来の柱上変圧器の過負荷で位相変換が不可能であったり、単相の柱上変圧器が設置されていたりする場合には、単相変圧器６０を用いた変圧器の一次バイパス装置６５を設置し、変圧器の一次バイパスケーブル６１を用いて柱上変圧器３−５を取り替える時に、取り替えようとする一次特高圧の電源の供給を受けて電圧降下させた二次の電源を自動検相の投入遮断器６３で自動検相して供給することによって、変圧器の二次バイパスケーブル２１を再結線することなく、取り替えようとする変圧器の一次ケーブル６１を連結させる動作のみで柱上変圧器３−５を取り替えることができるようにする。
【００２５】
本発明は図５ａに示したように、単相変圧器の５台を用いて位相変換器６を構成していたものを、図５ｂまたは図５ｃに示したように単相変圧器の３台を用いて位相変換器７，８を製作したり、図５ｄに示したように３相変圧器を用いて位相変換器９を製作したりすることができるようにしたものである。
【図面の簡単な説明】
【００２６】
【図１】従来の低圧位相変換の無停電方式回路の構成図である。
【図２】従来の低圧位相変換の無停電方式の回路図である。
【図３】本発明による高・低圧位相変換の無停電方式回路の構成図である。
【図４】本発明による高・低圧位相変換の無停電方式の回路図である。
【図５】本発明による位相変換器の実施例の回路図である。
【符号の説明】
【００２７】
３，４，５ 柱上変圧器
６，７，８，９  位相変換器
２１  変圧器の二次バイパスケーブル
２２  低圧線路のバイパスケーブル
２５  変圧器の二次自動検相のバイパス遮断器
２６  低圧線路の自動検相のバイパス遮断器
３０，５０  位相変換器
５３  自動力率調整装置
５４  ３相の力率調整コンデンサー
５５  単相の力率調整コンデンサー
６０  単相変圧器
６１  変圧器の一次バイパスケーブル
６３  自動検相の投入遮断器
６５  変圧器の一次バイパス装置
【図１】
2004229494.tif 000003
【図２】
2004229494.tif 000004
【図３】
2004229494.tif 000005
【図４】
2004229494.tif 000006
【図５】
2004229494.tif 000007